(57)【要約】【課題】  はがき、アンケート用紙、解答用紙等の用紙に記載された個人情報、秘匿したい情報、事項等を秘匿用紙を接着した表面からだけでなく裏面からもみえないように完全に秘匿できる用紙を提供すること。【解決手段】  ２枚の紙が重なって構成される１枚の用紙であって、当該紙が重なる相対する面に地紋が印刷され、かつ接着剤が塗布されていること。  また、前記用紙が、はがきであること。  さらに、前記はがきが、宛名欄、個人情報、秘匿したい情報、事項を記載する欄、当該個人情報、秘匿したい情報、事項を記載する欄を秘匿する部分とからなること。【選択図】  図２
0003116747.tif 000002
【実用新案登録請求の範囲】
【請求項１】
２枚の紙が重なって構成される１枚の用紙であって、当該紙が重なる相対する面に地紋が印刷され、かつ接着剤が塗布されていることを特徴とする用紙。
【請求項２】
前記用紙が、はがきであることを特徴とする請求項１記載の用紙。
【請求項３】
前記はがきが、宛名欄、個人情報、秘匿したい情報、事項を記載する欄、当該個人情報、秘匿したい情報、事項を記載する欄を秘匿する部分とからなる、ことを特徴とする請求項２記載の用紙。
【考案の詳細な説明】
【技術分野】
【０００１】
本考案は、用紙、特に２枚の紙が重なる相対する面に地紋が印刷され、かつ接着剤が塗布された用紙に関する。
【背景技術】
【０００２】
従来、はがき等に個人の住所、氏名、電話番号、性別、年令、等の個人情報等を記載して送信先に送信する場合、個人情報を送信先以外の第三者に見られないように当該個人情報を記載した欄に再接着可能な糊を塗布した用紙を接着したりすることが行われていた。
【０００３】
また、はがき本体に秘匿したい箇所を秘匿する秘匿シール部が設けられ、はがきの秘匿したい箇所を手間をかけずに簡単に出来る技術がある（例えば、特許文献１参照）。
【０００４】
【特許文献１】登録実用新案第３１０８４２９号（［０００５］，［０００６］）
【考案の開示】
【考案が解決しようとする課題】
【０００５】
しかし、前記のようにはがきに記載された個人の住所、氏名、電話番号等、及びアンケート用紙、質問に対する解答用紙等に記載された個人情報、秘匿したい事項等を関係者以外の第三者に見られたくない場合に当該個人情報、及び秘匿したい事項等を隠すために当該事項の上に用紙を貼着する場合があるが、この場合、用紙を接着した表面からみた場合は確かに個人情報、及び秘匿したい事項等は見えないのであるが、裏面から見た場合は透けて見えてしまい、せっかく秘匿したのに秘匿したことにならない、という問題点があった。
【０００６】
そこで、本考案は、はがき、アンケート用紙、解答用紙等の用紙に記載された個人情報、秘匿したい情報、事項等を秘匿用紙を接着した表面からだけでなく裏面からもみえないように完全に秘匿できる用紙を提供することを目的とする。
【課題を解決するための手段】
【０００７】
前記目的を達成するため、本考案の用紙は、２枚の紙が重なって構成される１枚の用紙であって、当該紙が重なる相対する面に地紋が印刷され、かつ接着剤が塗布されていること、からなる。
【０００８】
また、用紙が、はがきであることが好適である。
【０００９】
さらに、はがきが、宛名欄、個人情報、秘匿したい情報、事項を記載する欄、当該個人情報、秘匿したい情報、事項を記載する欄を秘匿する部分とからなることが好適である。
【考案の効果】
【００１０】
本考案は以上の構成を有するので、はがき、アンケート用紙、解答用紙等の用紙に記載された個人情報、秘匿したい情報、事項等を完全に秘匿することが出来るものである。
【考案を実施するための最良の形態】
【００１１】
本考案の実施の形態の例を図面に基づいて説明する。
【００１２】
図１は１枚の紙の裏側の面（相対する面）に地紋が印刷された状態を示す図である。ここで地紋とは模様、不定型な線、文字等を含む概念である。地紋だけでなく青、紺、緑等の色彩を塗布するのも良い。
紙の裏側の面１には接着剤が塗布されていて２枚に折り重ねて接着すると、地紋により裏から透けて見えなくなるものである。
【００１３】
図２は１枚の紙を２枚に折り裏面を接着しようとする状態を示す図である。裏側の面１の表側の面に該当する第２の面４は上段に一定の事項、例えばガス料金カード支払いサービス申込書等が記載されている欄５があり、中段に秘匿したい情報、事項、例えばガスのご契約について、使用場所、住所、氏名等が記載されている欄６があり、下段に秘匿したい情報、事項を記載した欄６を隠すための秘匿部分７がある。
２枚の用紙の一定の事項が記載されている欄５，６の相対する面１３と１３’は剥離不能な接着剤が塗布され、秘匿部分７の相対する面の一方１４は剥離剤が塗布され、相対する面の他方１４’は再接着可能な糊が塗布されている。
この秘匿部分７はガス会社の連絡先、問合せ番号等、秘匿部分７の相対する面の一方１４，即ち上面を剥がした際、後に保管しておくべき事項、広告、その他必要に応じて何を記載しても良い。
【００１４】
図３は１枚の紙を折って、接着した状態及び秘匿部分の上面を切り込みに沿って剥がそうとする状態を示す図である。
１枚の紙を折った際の折り部１５は厚みを均等にするためにカットする方が良い。
秘匿したい情報、事項を記載した欄６と、それを隠すための秘匿部分７との間には切り込み８が入っていて秘匿部分７の上面を剥がすことが出来るようになっている。
【００１５】
図４は秘匿部分の相対する面の他方、即ち下面を秘匿したい情報、事項を記載した欄のほうへ折り重ねようとする状態を示した図である。秘匿部分７の上面を切り込みに沿って剥がした後、下面を秘匿したい情報、事項を記載した欄６に折り重ね、接着することにより秘匿したい情報、事項を隠すものである。下面、即ち相対する面の他方１４’に塗布されているのは前述のように再接着可能な糊であるから容易に接着できるものである。
【００１６】
図５は秘匿部分を秘匿したい情報、事項を記載した欄に接着した状態の第１の面に宛名が記載されている状態を示す図である。
相対する面１３及び１３’，１４及び１４’が接着された、当該相対する面の表側の面に該当する第１の面３には宛先（送信先）の住所、名称、担当の係等が記載されている。
【００１７】
図６は別の実施例を示すものであり、１枚の紙を２枚に折るのでなく別々の２枚の紙の裏面（相対する面）に地紋が印刷されている状態を示す図である。２枚の紙が重なる相対する面１６，１６’には剥離不能な接着剤が塗布されている。
【００１８】
図７は２枚の紙が接着されている状態を示す図である。
相対する面の一方１６，即ち上面の表側の面に該当する第２の面１０には上段に一定の事項、例えばガス料金カード支払いサービス申込書等が記載されている欄１１があり、下段に秘匿したい情報、事項を記載した欄１２があり、ガスのご契約について、使用場所、住所、氏名、クレジットカード、カード会員名、連絡先、カード番号等秘匿したい情報、事項等を記載するようになっている。
【００１９】
秘匿したい情報、事項を記載した欄１２の表面には、塗布した後もボールペン等で文字を書くことが出来る感圧糊が塗布されている。
【００２０】
図８は秘匿したい情報、事項を記載した欄を真ん中から折って重ね、接着しようとする状態を示す図である。
秘匿したい情報、事項を記載した欄１２を真ん中から折って重ねて接着すれば良い。
【００２１】
図９は秘匿したい情報、事項を記載した欄を真ん中から折り重ね、接着した状態の第１の面に宛名が記載されている状態を示す図である。
相対する面の他方１６’、即ち下面の表側の面に該当する第１の面９に宛先（送信先）の住所、名称、担当の係等が記載されている。
【００２２】
なお、本考案の用紙の白紙の部分には広告等を記載しても良い。
【図面の簡単な説明】
【００２３】
【図１】１枚の紙の裏側の面（相対する面）に地紋が印刷された状態を示す図である。
【図２】１枚の紙を２枚に折り裏面を接着しようとする状態を示す図である。
【図３】１枚の紙を折って、接着した状態及び秘匿部分の上面を切り込みに沿って剥がそうとする状態を示す図である。
【図４】秘匿部分の相対する面の他方、即ち下面を秘匿したい情報、事項を記載した欄のほうへ折り重ねようとする状態を示した図である。
【図５】秘匿部分を秘匿したい情報、事項を記載した欄に接着した状態の第１の面に宛名が記載されている状態を示す図である。
【図６】別の実施例を示すものであり、１枚の紙を２枚に折るのでなく別々の２枚の紙の裏面（相対する面）に地紋が印刷されている状態を示す図である。
【図７】２枚の紙が接着されている状態を示す図である。
【図８】秘匿したい情報、事項を記載した欄を真ん中から折って重ね、接着しようとする状態を示す図である。
【図９】秘匿したい情報、事項を記載した欄を真ん中から折り重ね、接着した状態の第１の面に宛名が記載されている状態を示す図である。
【符号の説明】
【００２４】
１                  裏側の面
２                  地紋
３，９              第１の面
４，１０            第２の面
５，１１            一定の事項が記載されている欄
６，１２            秘匿したい情報、事項を記載する欄
７                  秘匿面
８                  切り込み
１３，１４、１６    相対する面の一方
１３’，１４’，１６’相対する面の他方
１５                折り部
【図１】
0003116747.tif 000003
【図２】
0003116747.tif 000004
【図３】
0003116747.tif 000005
【図４】
0003116747.tif 000006
【図５】
0003116747.tif 000007
【図６】
0003116747.tif 000008
【図７】
0003116747.tif 000009
【図８】
0003116747.tif 000010
【図９】
0003116747.tif 000011